(57)【要約】【課題】バイブレータを備えたマッサージ機に於て、バイブレータの周波数制御によって被施療者の患部の血管を拡張させ、血行改善及び筋肉弛緩等の施療効果を高める。【解決手段】本発明はバイブレータ（座部バイブレータ６，施療子９）を備えたマッサージ機に於て、前記バイブレータの周波数を可変に構成すると共に、被施療者の身体の生体情報を測定する測定手段（エアーパット７，センサ１０）を設け、且つ、該測定手段の測定結果に基づき前記バイブレータを制御する制御手段（制御部８）を配設し、該制御手段によって前記バイブレータの周波数を変化させ、前記測定手段によって被施療者の生体情報を測定し、該測定手段の測定結果に基づき該制御手段によってバイブレータの最適な周波数を設定し、該最適な周波数によってバイブレータを作動させるように構成したマッサージ機を提供する。【選択図】  図１
2004166919.tif 000002
【特許請求の範囲】
【請求項１】
バイブレータを備えたマッサージ機に於て、前記バイブレータの周波数を可変に構成すると共に、被施療者の身体の生体情報を測定する測定手段を設け、且つ、該測定手段の測定結果に基づき前記バイブレータを制御する制御手段を配設し、該制御手段によって前記バイブレータの周波数を変化させ、前記測定手段によって被施療者の生体情報を測定し、該測定手段の測定結果に基づき該制御手段によってバイブレータの最適な周波数を設定し、該最適な周波数によってバイブレータを作動させるように構成したことを特徴とするマッサージ機。
【請求項２】
上記測定手段は温度センサを備えていることを特徴とする請求項１記載のマッサージ機。
【請求項３】
上記測定手段は心拍センサを備えていることを特徴とする請求項１又は２記載のマッサージ機。
【請求項４】
上記測定手段は発汗センサを備えていることを特徴とする請求項１，２又は３記載のマッサージ機。
【請求項５】
上記測定手段は圧力センサが配設されたエアーパットを備えていることを特徴とする請求項１，２，３又は４記載のマッサージ機。
【請求項６】
上記バイブレータは施療子に配設されたバイブレータ機構を備えていることを特徴とする請求項１，２，３，４又は５記載のマッサージ機。
【請求項７】
上記バイブレータは座部に配設された座部バイブレータを備えていることを特徴とする請求項１，２，３，４，５又は６記載のマッサージ機。
【発明の詳細な説明】
【０００１】
【発明の属する技術分野】
この発明は、マッサージ機に関するものであり、特に、バイブレータを備えたマッサージ機に於て、バイブレータの周波数を変化させ、被施療者の生体情報を測定して、該生体情報に基づく最適周波数によってバイブレータによる効果的なマッサージを行うようにしたマッサージ機に関するものである。
【０００２】
【従来の技術】
従来の此種マッサージ機について説明する。此種マッサージ機として、例えば、心拍数、呼吸数及び脳波等の生体情報を検出する検出装置と、動作速度が可変となっているマッサージ機構と、該検出装置の検出出力に応じてマッサージ機構の動作速度を変更する制御部とから成るマッサージ機が知られている（例えば、特許文献１参照。）。該マッサージ機は生体情報を参照しつつマッサージ機構の動作速度を変更することで、生体の状態に応じたマッサージが行われる。
【０００３】
又、マッサージ動作における動作圧力や動作速度が可変であるエアマッサージ機構と、心拍数や呼吸数等の生体情報を検出する検出装置と、検出装置の検出出力に応じてエアマッサージ機構のマッサージ動作における動作圧力や動作速度を変化させる制御部とを有するマッサージ機も知られている（例えば、特許文献２参照。）。
【０００４】
更に又、人体のリラックス度を測定するリラックス度測定手段としての発汗検出子並びに測定部と、その測定結果に基づいてマッサージモードを選択し、且つ、実行する制御部とを備え、マッサージに最適な体調検出情報を得ると共にその得られた体調検出情報に基づいてマッサージを行うことができるマッサージ機が知られている（例えば、特許文献３参照。）。
【０００５】
又、生理情報測定手段によって測定された生理情報に基づくマッサージプログラムによって施療指を制御するマッサージ機であって、制御手段は、操作ボタンの操作によりマッサージプログラムが選択され、生理情報測定手段から所定の条件を満たす生理情報が検出された時に、生理情報に基づくマッサージプログラムを実行するようにしたマッサージ機が知られている（例えば、特許文献４参照。）。
【０００６】
更に、被施療者の身体に沿ってマッサージを施す施療指と、該施療指の動作を制御する制御手段とを具え、リモコンによって操作されるマッサージ機に於て、前記リモコンに、被施療者が把持した際に、被施療者の指が当たる第１指レスト部と第２指レスト部とを形成し、該第１指レスト部及び第２指レスト部に被施療者の生理情報を測定する手段を配備したマッサージ機が知られている（例えば、特許文献５参照。）。
【０００７】
【特許文献１】
特開平９−１９２１８６号公報  （第１−５頁、第１−５図）
【０００８】
【特許文献２】
特開２００２−３５０６６号公報  （第１−５頁、第１−５図）
【０００９】
【特許文献３】
特開２００２−２０９９６５号公報  （第１−５頁、第１−３図）
【００１０】
【特許文献４】
特開２００２−２３３５５９号公報  （第１−５頁、第１−１０図）
【００１１】
【特許文献５】
特開２００２−２３３５６０号公報  （第１−４頁、第１−６図）
【００１２】
【発明が解決しようとする課題】
上記従来例のマッサージ機はいずれも被施療者が施療を受けた時の被施療者の生体情報を検出し、その検出値に基づきマッサージ施療を行うことにより、被施療者に適した施療を行うことができる。
【００１３】
然しながら、前記従来例は、いずれも、マッサージによる物理的な力により収縮した筋肉を弛緩させて施療を行うものであり、この施療方法の施療効果は比較的緩慢であるという問題がある。
【００１４】
一方、最近の基礎研究によれば、血管に外部から振動刺激を加えた時、該振動刺激の振動数が血管の固有振動数に合致して血管が共振すると血管が拡張し、血液の循環が良くなることが知られている。
【００１５】
これによると、マッサージ用バイブレータの周波数を血管の固有振動数に合致させれば、血管が拡張し血流が改善されて筋肉等の施療が行えることが考えられる。
【００１６】
そこで、バイブレータを備えたマッサージ機に於て、バイブレータの周波数制御によって被施療者の患部の血管を拡張させ、血行改善及び筋肉弛緩等の施療効果を高めるために解決すべき技術的課題が生じてくるのであり、本発明はこの課題を解決することを目的とする。
【００１７】
【課題を解決するための手段】
本発明は上記目的を達成するために提案されたものであり、バイブレータを備えたマッサージ機に於て、前記バイブレータの周波数を可変に構成すると共に、被施療者の身体の生体情報を測定する測定手段を設け、且つ、該測定手段の測定結果に基づき前記バイブレータを制御する制御手段を配設し、該制御手段によって前記バイブレータの周波数を変化させ、前記測定手段によって被施療者の生体情報を測定し、該測定手段の測定結果に基づき該制御手段によってバイブレータの最適な周波数を設定し、該最適な周波数によってバイブレータを作動させるように構成したマッサージ機、
及び、上記測定手段は温度センサを備えているマッサージ機、
及び、上記測定手段は心拍センサを備えているマッサージ機、
及び、上記測定手段は発汗センサを備えているマッサージ機、
及び、上記測定手段は圧力センサを内蔵したエアーパットを備えているマッサージ機、
及び、上記バイブレータは施療子に配設されたバイブレータ機構を備えているマッサージ機、
並びに、上記バイブレータは座部に配設された座部バイブレータを備えているマッサージ機を提供するものである。
【００１８】
【発明の実施の形態】
以下、本発明の一実施の形態を図１乃至図４に従って詳述する。図１に於て、１はマッサージ機であり、該マッサージ機１は座部２と、脚部３と、背凭れ部４と、肘掛部５とを有し、該座部２上部には周波数可変の座部バイブレータ６と、測定手段としてのエアーパット７が離間して設けられると共に、該脚部３に制御部８が配設され、前記背凭れ部４には周波数可変のバイブレータ機構が配設された施療子９が上下動自在に設けられ、前記肘掛部５の上部先端部に施療者の手を測定するための測定手段としてのセンサ１０が配設されている。
【００１９】
更に、前記センサ１０は、図２に示す如く、温度センサ１１、心拍センサ１２及び発汗センサ１３を備え、該温度センサ１１、心拍センサ１２及び発汗センサ１３によって、夫々、体温、心拍数及び発汗等を測定することが可能であり、一方、前記エアーパット７は該エアーパット７に内臓して、或いは、外設して圧力センサ１４が配設され、該圧力センサ１４の出力値から心拍数、呼吸数等の生体情報を得ることができるように構成されている。
【００２０】
そして、前記施療子９、座部バイブレータ６、温度センサ１１、心拍センサ１２、発汗センサ１３及び圧力センサ１４は夫々前記制御部８に接続されている。而して、図２及び図３に示す如く、前記制御部８の測定用バイブレーション開始指令により、例えば、前記施療子９を任意の患部に当接させて作動し（ステップＳ１）、該施療子９のバイブレータの周波数を変化させると（ステップＳ２）、前記センサ１０によって前記周波数の変化に基づく体温、心拍数及び発汗が測定され、又、前記エアーパット７によって、心拍数、呼吸数等の生体情報が測定される（ステップＳ３）。そして、それらの測定情報から、特に、被施療者の患部の血管が前記バイブレータの特定の周波数に共振して拡張したことを示す測定情報、例えば、体温の上昇、心拍数の低下、発汗量の増大、呼吸数の増加等に基づき、前記制御部８によって最適なバイブレータ周波数を設定し（ステップＳ４）、設定された周波数でバイブレーションを開始すると（ステップＳ５）、被施療者の血管が拡張することにより、血行改善、筋肉弛緩、リラックス効果等の施療効果が得られる（ステップＳ６）。
【００２１】
尚、前記操作は前記施療子９を種々の患部、例えば、首、肩、背中等に当接させて、夫々測定され、該測定に基づく、夫々の設定によって各患部の施療が行われる。
【００２２】
又、前記施療子９に代えて、前記座部バイブレータ６を用いた場合も、同様の手順で測定し、該測定に基づき施療が行われる。
図４（ａ）は、前記施療子９を首に当てて前述のステップＳ１の測定用バイブレーションを開始し、該バイブレーションの周波数を変化させ、被施療者の手の温度と心拍数を測定したものであり、これによると手の温度には大きな変化は見られないが、周波数の略１５Ｈｚと略６０Ｈｚに於て心拍数の低下が見られる。
【００２３】
又、図４（ｂ）は、前記施療子９を肩の凝り部に当てて測定用バイブレーションを開始し、該バイブレーションの周波数を変化させ、手の温度と心拍数を測定したものであり、これによると前述と同様に手の温度に大きな変化は見られないが、周波数の略５５Ｈｚに於て心拍数の低下が見られる。
【００２４】
更に、図４（ｃ）は、前記施療子９を背中に当てて測定用バイブレーションを開始し、該バイブレーションの周波数を変化させ、手の温度と心拍数を測定したものであり、これによると前述と同じく手の温度に大きな変化は見られないが、周波数の略２５Ｈｚに於て心拍数の低下が見られる。
【００２５】
前述した心拍数の低下は、前記施療子９の特定の周波数に対し、患部の血管が共振し、血管が拡張することによって血流の流れが良好となり、それと共に、心拍数も減少したものと考えられる。従って、前記バイブレーション周波数を前記特定の周波数に設定して施療を行えば、被施療者の血管が拡張することにより、血行改善、筋肉弛緩、リラックス効果等の施療効果が得られる。
【００２６】
尚、図４は手の温度と心拍数の測定を行ったものであるが、前記センサ１０及び前記圧力センサ１４が配設されたエアーパット７によって発汗情報や、その他の生体情報を得ることができ、これらによる測定情報を用いて前記操作を行うことができると共に、前述の測定情報と合わせて同時に用いることにより、より精度の高い周波数設定を行うことも可能である。
【００２７】
斯くして、前記マッサージ機１は各患部別に該患部の血管が拡張するバイブレータの最適周波数を検知し、該最適周波数によるバイブレーション施療を行うので、血行改善、筋肉弛緩等の効果的な施療効果を得ることができる。
【００２８】
尚、本発明は、本発明の精神を逸脱しない限り種々の改変を為すことができ、そして、本発明が該改変されたものに及ぶことは当然である。
【００２９】
【発明の効果】
本発明は上記一実施の形態に詳述したように、請求項１記載の発明は、バイブレータを備えたマッサージ機に於て、前記バイブレータの周波数を可変に構成すると共に、被施療者の身体の生体情報を測定する測定手段を設け、且つ、該測定手段の測定結果に基づき前記バイブレータを制御する制御手段を配設したので、該制御手段によって前記バイブレータの周波数を変化させ、前記測定手段によって被施療者の生体情報を測定し、該測定手段の測定結果に基づき該制御手段によってバイブレータの最適な周波数を設定し、該最適な周波数によってバイブレータを作動させることにより、被施療者の患部の血管を拡張させるバイブレータの最適周波数を検知することが可能となり、且つ、該最適周波数によるバイブレーション施療を行うことにより、血行改善、筋肉弛緩等の効果的な施療効果を得ることができる。
【００３０】
又、請求項２記載の発明は、上記測定手段は温度センサを備えているので、該温度センサによる測定によって請求項１記載の発明の効果と同様の効果を得ることが出来る。
【００３１】
更に、請求項３記載の発明は、上記測定手段は心拍センサを備えているので、該心拍センサによる測定によって請求項１又は２記載の発明の効果と同様の効果を得ることが出来る。
【００３２】
更に又、請求項４記載の発明は、上記測定手段は発汗センサを備えているので、該発汗センサによる測定によって請求項１，２又は３記載の発明の効果と同様の効果を得ることが出来る。
【００３３】
そして、請求項５記載の発明は、上記測定手段は圧力センサを内蔵したエアーパットを備えているので、該エアーパットによる生体情報の測定によって請求項１，２，３又は４記載の発明の効果と同様の効果を得ることが出来る。
【００３４】
又、請求項６記載の発明は、上記バイブレータは施療子に配設されたバイブレータ機構を備えているので、該施療子によって請求項１，２，３，４又は５記載の発明の効果と同様の効果を得ることができる。
【００３５】
更に、請求項７記載の発明は、上記バイブレータは座部に配設された座部バイブレータであるので、該座部バイブレータによって請求項１，２，３，４，５又は６記載の発明の効果と同様の効果を得ることができる等、正に著大なる効果を奏する発明である。
【図面の簡単な説明】
【図１】本発明の一実施の形態を示し、マッサージ機の説明図。
【図２】本発明の一実施の形態を示し、電気回路の説明図。
【図３】本発明の一実施の形態を示し、操作手順のフローチャート。
【図４】（ａ）〜（ｃ）本発明の一実施の形態を示し、各患部に於けるバイブレータの周波数変化に対する心拍数と手の温度の変化を示すグラフ。
【符号の説明】
１                    マッサージ機
６                    座部バイブレータ
７                    エアーパット
９                    施療子
１１                    温度センサ
１２                    心拍センサ
１３                    発汗センサ
１４                    圧力センサ
【図１】
2004166919.tif 000003
【図２】
2004166919.tif 000004
【図３】
2004166919.tif 000005
【図４】
2004166919.tif 000006